(57)【要約】【課題】廃材等の投入量に応じて容量調整可能で、しかも薄肉で柔軟な布やシート等で構成しつつ、廃材等を投入していない状態や投入量が少ない状態でも自立が可能なコンテナバッグを提供する。【解決手段】フル展開させた第１形態におけるコンテナバッグ１の蓋部材５を側壁部３の外側へ折り返し、この第２形態におけるコンテナバッグ１Ａの蓋部材５Ａの下半部を蓋部材５Ａの上半部の外側へ折り返し、この第３形態におけるコンテナバッグ１Ｂの側壁部３の上半部及び蓋部材５Ｂを側壁部３の下半部の外側へ折り返し、この第４形態におけるコンテナバッグ１Ｃの側壁部１０の周方向略２等分位置を底壁部２の中央部側へ折り曲げて、該側壁部１０の左半部と右半部とをそれぞれ底壁部２に重なるように略長方形に折り畳み、この第５形態におけるコンテナバッグ１Ｆ、１Ｇを複数に折り畳んだ。【選択図】  図２
2004256139.tif 000002
【特許請求の範囲】
【請求項１】
底壁部と筒状の側壁部とを有する有底筒状のバッグ本体と、バッグ本体の側壁部から上方へ伸びる筒状の蓋部材とを備えたコンテナバッグであって、
フル展開させた第１形態におけるコンテナバッグの蓋部材を側壁部の外側へ折り返した第２形態と、
前記第２形態におけるコンテナバッグの蓋部材の下半部を蓋部材の上半部の外側へ折り返した第３形態と、
前記第３形態におけるコンテナバッグの側壁部の上半部及び蓋部材を側壁部の下半部の外側へ折り返した第４形態と、
前記第４形態におけるコンテナバッグの側壁部及び蓋部材の周方向略２等分位置を底壁部の中央部側へ折り曲げて、該側壁部及び蓋部材の左半部と右半部とをそれぞれ底壁部に重なるように略長方形に折り畳んだ第５形態と、
前記第５形態におけるコンテナバッグを複数に折り畳んだ第６形態と、
を経て折り畳んだことを特徴とするコンテナバッグ。
【請求項２】
前記第５形態において略長方形に折り畳まれた側壁部及び蓋部材の下側に底壁部の外周部を折り込んだ請求項１記載のコンテナバッグ。
【請求項３】
前記第２形態におけるコンテナバッグの側壁部及び蓋部材の上半部を蓋部材の下半部の外側へ折り返し、第３形態を経ずして第４形態に折り畳んだ請求項１又は２記載のコンテナバッグ。
【請求項４】
底壁部と筒状の側壁部とを有する有底筒状のバッグ本体とを備えたコンテナバッグであって、
フル展開した第１形態におけるコンテナバッグの側壁部の上半部を側壁部の下半部の外側へ折り返した第２形態と、
前記第２形態におけるコンテナバッグの側壁部の周方向略２等分位置を底壁部の中央部側へ折り曲げて、該側壁部の左半部と右半部とをそれぞれ底壁部に重なるように略長方形に折り畳んだ第３形態と、
前記第３形態におけるコンテナバッグを複数に折り畳んだ第４形態と、
を経て折り畳まれたことを特徴とするコンテナバッグ。
【発明の詳細な説明】
【０００１】
【発明の属する技術分野】
本発明は、建築廃材等の物品を収容するのに好適なコンテナバッグに関する。
【０００２】
【従来の技術】
建築現場等において、建築廃材等の物品を一時的に収容するための使い捨てタイプの布製のコンテナバッグが、取扱いが容易でしかもコンパクトに折り畳めることから広く採用されている。
【０００３】
前記コンテナバッグとしては、底壁部と筒状の側壁部とを有する有底筒状のバッグ本体と、バッグ本体の側壁部から上方へ伸びる筒状の蓋部材とを備えたものが知られており、このコンテナバッグの折畳方法として、例えば蓋部材を側壁部の内側へ折り込んで、左右の蓋部材と側壁部とを平板状に重ね合わせてから、これを更に２つ折にしてコンパクトに折り畳む方法が広く採用されている（例えば、特許文献１参照。）。
【０００４】
【特許文献１】
特開平１１−１８０４８８号公報
【０００５】
【発明が解決しようとする課題】
ところで、特許文献１記載のような布製のコンテナバッグでは、内部に廃材等を収容した状態においては自立するが、廃材等を収容していない状態や廃材等の投入量が少ない状態では自立しないので、スタンド等を別途用いて自立させたり、自立のための補強材をコンテナバッグに取り付けたりする必要があった。しかも、フル展開した状態で使用することを前提としており、廃材等の投入量に応じて容積を調整するという発想がなく、投入量の少ない状態において邪魔になるという問題もあった。
【０００６】
本発明の目的は、廃材等の投入量に応じて容量調整可能で、しかも薄肉で柔軟な布やシート等で構成しつつ、廃材等を投入していない状態や投入量が少ない状態でも自立が可能なコンテナバッグを提供することである。
【０００７】
【課題を解決するための手段】
本発明に係る第１のコンテナバッグは、底壁部と筒状の側壁部とを有する有底筒状のバッグ本体と、バッグ本体の側壁部から上方へ伸びる筒状の蓋部材とを備えたコンテナバッグであって、フル展開させた第１形態におけるコンテナバッグの蓋部材を側壁部の外側へ折り返した第２形態と、前記第２形態におけるコンテナバッグの蓋部材の下半部を蓋部材の上半部の外側へ折り返した第３形態と、前記第３形態におけるコンテナバッグの側壁部の上半部及び蓋部材を側壁部の下半部の外側へ折り返した第４形態と、前記第４形態におけるコンテナバッグの側壁部及び蓋部材の周方向の略２等分位置を底壁部の中央部側へ折り曲げて、該側壁部及び蓋部材の左半部と右半部とをそれぞれ底壁部に重なるように略長方形に折り畳んだ第５形態と、前記第５形態におけるコンテナバッグを複数に折り畳んだ第６形態とを経て折り畳んだものである。
【０００８】
この第１のコンテナバッグの使用方法は、第６形態に折り畳んだコンテナバッグを第５形態に展開し、この第５形態の略長方形に折り畳んだ側壁部及び蓋部材を立ち上げて第４形態へ展開させた状態で、この第４形態におけるコンテナバッグに対して廃材等の物品を投入し、この第４形態におけるコンテナバッグに対してある程度廃材等を投入した後、側壁部を伸張させてコンテナバッグを第４形態から第３形態又は第２形態へ展開し、更に廃材等の物品を投入することになる。
【０００９】
より具体的には、コンテナバッグを作業現場等へ持ち運んでから、第６形態に折り畳んだコンテナバッグを第５形態に展開し、この第５形態の略長方形に折り畳んだ側壁部及び蓋部材を立ち上げて第４形態へ展開させることで、バッグ本体をフル展開させた第１形態におけるコンテナバッグの約１／２の容量のコンテナバッグが形成し、この第４形態におけるコンテナバッグに対して廃材等を投入することになる。また、この第４形態におけるコンテナバッグにおいては、その側壁部がフル展開させた第１形態におけるコンテナバッグの側壁部及び蓋部材をそれぞれ２つ折りにしたもので構成されるので、コンテナバッグを比較的薄肉の布材で構成した場合においても、自立に十分な強度を確保でき、スタンド等を用いることなくコンテナバッグを自立させた状態で、廃材等を投入することが可能となる。こうして、この第４形態におけるコンテナバッグに対してある程度廃材等を投入した状態で、側壁部を伸張させてコンテナバッグを第４形態から第３形態又は第２形態へ展開し、コンテナバッグの容量を増大させることになるが、この第３形態又は第２形態におけるコンテナバッグにおいても側壁部が蓋部材で補強されるので、スタンド等を用いることなく自立させた状態で、廃材等を投入することが可能となる。そして、第３形態又は第２形態におけるコンテナバッグに廃材等をフルに投入した後、蓋部材を引き延ばして第１形態へ展開し、コンテナバッグの開口部を蓋部材で閉じてから、作業現場外へ搬送することになる。
【００１０】
また、このようなコンテナバッグの折畳方法としては、バッグ本体をフル展開させた第１形態におけるコンテナバッグの蓋部材を側壁部の外側へ折り返した第２形態と、前記第２形態におけるコンテナバッグの蓋部材の下半部を蓋部材の上半部の外側へ折り返した第３形態と、前記第３形態におけるコンテナバッグの側壁部の上半部及び蓋部材を側壁部の下半部の外側へ折り返した第４形態と、前記第４形態におけるコンテナバッグの側壁部及び蓋部材の周方向の略２等分位置を底壁部の中央部側へ折り曲げて、該側壁部及び蓋部材の左半部と右半部とをそれぞれ底壁部に重なるように略長方形に折り畳んだ第５形態と、前記第５形態におけるコンテナバッグを複数に折り畳んだ第６形態とを経て折り畳むことになる。
【００１１】
ここで、前記第５形態において略長方形に折り畳まれた側壁部及び蓋部材の下側に底壁部の外周部を折り込んでもよい。この場合には、第５形態から第６形態へコンテナバッグを折り畳んだ状態で、底壁部の外縁が外部に突出することを防止して、コンテナバッグを略長方形や略正方形に綺麗に折り畳むことが可能となる。
【００１２】
前記第２形態におけるコンテナバッグの側壁部及び蓋部材の上半部を蓋部材の下半部の外側へ折り返し、第３形態を経ずして第４形態に折り畳んでもよい。
【００１３】
本発明に係る第２のコンテナバッグは、底壁部と筒状の側壁部とを有する有底筒状のバッグ本体とを備えたコンテナバッグであって、バッグ本体をフル展開させた第１形態におけるコンテナバッグにおける側壁部の上半部を側壁部の下半部の外側へ折り返した第２形態と、前記第２形態におけるコンテナバッグの側壁部の周方向略２等分位置を底壁部の中央部側へ折り曲げて、該側壁部の左半部と右半部とをそれぞれ底壁部に重なるように略長方形に折り畳んだ第３形態と、前記第３形態におけるコンテナバッグを複数に折り畳んだ第４形態とを経て折り畳まれたものである。
【００１４】
この第２のコンテナバッグを使用する際には、コンテナバッグを作業現場等へ持ち運んでから、第４形態に折り畳んだコンテナバッグを第３形態に展開し、この第３形態におけるコンテナバッグの略長方形に折り畳んだ側壁部を立ち上げて第２形態へ展開させることで、フル展開させた第１形態におけるコンテナバッグの約１／２の容量のコンテナバッグが形成し、この第２形態におけるコンテナバッグに対して廃材等を投入することになる。また、この第２形態におけるコンテナバッグにおいては、その側壁部がフル展開させた第１形態におけるコンテナバッグの側壁部を２つ折りにしたもので構成されるので、コンテナバッグを比較的薄肉の布材で構成した場合においても、自立させるのに十分な強度が付与され、スタンド等を用いることなくコンテナバッグを自立させた状態で廃材等を投入することが可能となる。こうして、この第２形態におけるコンテナバッグに対してある程度廃材等を投入した状態で、側壁部を伸張させてコンテナバッグを第２形態から第１形態へ展開し、コンテナバッグの容量を増大させることになるが、この第１形態におけるコンテナバッグにおいても側壁部の上端部が蓋部材で補強されるので、スタンド等を用いることなく自立させた状態で廃材等を投入することが可能となる。
【００１５】
【発明の実施の形態】
以下、本発明の実施の形態について図面を参照しながら説明する。
図１に示すように、コンテナバッグ１は、略円板状の底壁部２と略円筒状の側壁部３とを有する有底円筒状のバッグ本体４と、バッグ本体４の側壁部３から上方へ伸びる略円筒状の蓋部材５とを備えている。
【００１６】
バッグ本体４の側壁部３の左右にはコンテナバッグ１を吊り上げるための吊紐６が設けられ、蓋部材５の途中部には蓋部材５を閉じるための１対の縛紐７が設けられている。尚、コンテナバッグ１のサイズは任意に設定可能であるし、コンテナバッグ１の展開状態における形状も、有底円筒状以外に有底箱状に形成してもよい。また、吊紐６や縛紐７の本数や配置は任意に設定可能である。
【００１７】
バッグ本体４は、廃材等の物品を投入しても破けないような強靱且つ柔軟な合成樹脂繊維や天然繊維からなる布製部材やシート状部材で構成され、蓋部材５はバッグ本体４と同種或いは異種素材からなりバッグ本体４よりも薄手の布製部材で構成されている。尚、底壁部２と側壁部３との境界部や側壁部の適所に保形性を高めるため、手指で折曲可能な鉄線などからなる芯材を設けてもよい。
【００１８】
次に、前記コンテナバッグ１の折畳方法について説明する。
先ず、図２（ａ）に示す第１形態におけるコンテナバッグ１の蓋部材５を、図２（ｂ）に示す第２形態におけるコンテナバッグ１Ａのように側壁部３の外側へ折り返し、側壁部３の外側に蓋部材５Ａを形成する。
【００１９】
次に、図２（ｃ）に示す第３形態におけるコンテナバッグ１Ｂのように、第２形態におけるコンテナバッグ１Ａの蓋部材５Ａの下半部を蓋部材５Ａの上半部の外側へ折り返して、側壁部３の上半部の外側に２つに折り畳んだ蓋部材５Ｂを形成する。
【００２０】
次に、図２（ｄ）に示す第４−１形態におけるコンテナバッグ１Ｃのように、第３形態におけるコンテナバッグ１Ｂの側壁部３の上半部及び蓋部材５Ｂを側壁部２の下半部の外側に折り返して、側壁部３の上半部及び下半部と蓋部材５Ｂの上半部及び下半部とからなる４重構造の側壁部１０をコンテナバッグ１Ｃに形成する。
【００２１】
次に、図２（ｅ）に示す第４−２形態におけるコンテナバッグ１Ｄのように、第４−１形態におけるコンテナバッグ１Ｃの側壁部１０を方形状に変形させた側壁部１０Ｄを形成する。尚、第４−１形態、第４−２形態が第４形態に相当する。
【００２２】
次に、図２（ｆ）に示す第５−１形態におけるコンテナバッグ１Ｅのように、第４−２形態におけるコンテナバッグ１Ｄの左右の側壁部１０Ｄの長さ方向略２等分位置を底壁部２の中央部側へ折り曲げる。但し、第４−２形態を経ないで、第４−１形態におけるコンテナバッグ１Ｃの側壁部１０の周方向２等分位置を底壁部２の中央部側へ折り曲げて、第５−１形態に変形させてもよい。
【００２３】
次に、図２（ｇ）に示す第５−２形態におけるコンテナバッグ１Ｆのように、第５−１形態におけるコンテナバッグ１Ｅの前後の側壁部１０Ｄをそれぞれ底壁部２に重なるように略長方形に折り畳んで、底壁部２の上側に前後１対の方形折畳部１１を重ね合わせた状態に配置する。
【００２４】
次に、図２（ｈ）に示す第５−３形態におけるコンテナバッグ１Ｇのように、第５−２形態におけるコンテナバッグ１Ｆの前後の方形折畳部１１よりも外側へ突出する底壁部２の４つの突出部２ａを方形折畳部１１の下側へ折り曲げる。但し、この第５−３形態は省略してもよい。また、第５−１形態、第５−２形態、第５−３形態が第５形態に相当する。
【００２５】
次に、図２（ｉ）に示す第６形態におけるコンテナバッグ１Ｈのように、第５−３形態におけるコンテナバッグ１Ｇの１対の方形折畳部１１を内側に重ね合わせ、二つ折りにした底壁部２Ｈが外側に位置するように、コンテナバッグ１Ｇを二つ折りにして折り畳むことになる。但し、この第６形態におけるコンテナバッグ１Ｈを更に複数に折り畳むことも可能である。
【００２６】
このように折り畳まれた第６形態におけるコンテナバッグ１Ｈにおいては、これを作業現場等へ持ち運んでから第５−１形態又は第５−２形態に展開し、この第５−１形態又は第５−２形態の方形折畳部１１を立ち上げて第４−１又は第４−２形態へ展開させることで、バッグ本体４をフル展開させた第１〜３形態におけるコンテナバッグ１、１Ａ、１Ｂの約１／２の容量のコンテナバッグ１Ｃ、１Ｄを形成し、この第４−１形態又は第４−２形態におけるコンテナバッグ１Ｃ、１Ｄに対して廃材等を投入することになる。また、この第４−１形態又は第４−２形態におけるコンテナバッグ１Ｃ、１Ｄにおいては、その側壁部１０、１０Ｄがフル展開させた第１形態におけるコンテナバッグ１の側壁部３及び蓋部材５をそれぞれ２つ折りにした４重構造に構成されるので、コンテナバッグ１を比較的薄肉の布材で構成した場合においても、自立に十分な強度を確保でき、スタンド等を用いることなくコンテナバッグ１Ｃ、１Ｄを自立させて廃材等を投入することが可能となる。
【００２７】
こうして、この第４−１形態又は第４−２形態におけるコンテナバッグ１Ｃ、１Ｄに対して例えば八分目程度の廃材等を投入した状態で、側壁部１０、１０Ｄを伸張させてコンテナバッグ１Ｃ、１Ｄを第４−１形態又は第４−２形態から第２形態又は第３形態へ展開してバッグ本体４の容量を増大させることになるが、この第２形態又は第３形態におけるコンテナバッグ１Ａ、１Ｂにおいても側壁部３が蓋部材５Ａ、５Ｂで補強されるので、スタンド等を用いることなく自立させて廃材等を投入することが可能となる。そして、第２形態又は第３形態におけるコンテナバッグ１Ａ、１Ｂに廃材等をフルに投入した後、蓋部材５を引き延ばして第１形態へ展開し、コンテナバッグ１の開口部を蓋部材５で閉じてから、作業現場外へ搬送することになる。
【００２８】
次に、蓋部材５を省略したコンテナバッグ２０の折畳方法について説明する。尚、前記実施例と同一部材には同一符号を付してその詳細な説明を省略する。
先ず図３（ａ）に示すフル展開させた第１形態のコンテナバッグ２０の側壁部３の上半部を側壁部３の下半部の外側に折り返して、図３（ｂ）に示す第２−１形態におけるコンテナバッグ２０Ａのように、コンテナバッグ２０の側壁部３の上半部及び下半部とからなる２重構造の側壁部３Ａを形成する。
【００２９】
次に、図３（ｃ）に示す第２−２形態におけるコンテナバッグ２０Ｂのように、第２−１形態におけるコンテナバッグ２０Ａの側壁部３Ａを方形状に変形させた側壁部３Ｂを形成する。尚、第２−１形態及び第２−２形態が第２形態に相当する。
【００３０】
次に、図３（ｄ）に示す第３−１形態におけるコンテナバッグ２０Ｃのように、第２−２形態におけるコンテナバッグ１Ｂの左右の側壁部３Ｃの長さ方向略２等分位置を底壁部２の中央部側へ折り曲げる。但し、第２−２形態を経ないで、第２−１形態におけるコンテナバッグ２０Ａの側壁部３の周方向２等分位置を底壁部２の中央部側へ折り曲げて、第３−１形態に変形させてもよい。
【００３１】
次に、図３（ｅ）に示す第３−２形態におけるコンテナバッグ２０Ｄのように、第３−１形態におけるコンテナバッグ２０Ｃの前後の側壁部３Ｃをそれぞれ底壁部２に重なるように略長方形に折り畳んで、底壁部２の上側に前後１対の方形折畳部２１を重ね合わせた状態に形成する。
【００３２】
次に、図３（ｆ）に示す第３−３形態におけるコンテナバッグ１Ｅのように、第３−２形態におけるコンテナバッグ２０Ｄの前後の方形折畳部２１よりも外側へ突出する底壁部２の４つの突出部２ａを方形折畳部２１の下側へ折り曲げる。但し、この第３−３形態は省略してもよい。また、第３−１形態、第３−２形態、第３−３形態が第３形態に相当する。
【００３３】
次に、図３（ｇ）に示す第４形態におけるコンテナバッグ２０Ｆのように、第３−３形態におけるコンテナバッグ２０Ｅの１対の方形折畳部２１を内側に重ね合わせ、二つ折りにした底壁部２Ｆが外側に位置するように、コンテナバッグ２０Ｅを二つ折りにして折り畳むことになる。
【００３４】
尚、フラップ状の蓋部材を有すコンテナバッグの場合には、第１形態のコンテナバッグ２０の側壁部３に沿うようにフラップ状の蓋部材を配置させた状態で、前記実施例における第２−１形態のコンテナバッグ２０Ａと同様に、コンテナバッグの下壁部の上半部を側壁部の下半部の外側へ折り返してから、第２−２形態以下の手順で同様にしてコンテナバッグを折り畳むことになる。
【００３５】
【発明の効果】
本発明に係るコンテナバッグによれば、廃材等の投入量に応じてフルサイズとハーフサイズの２段階にコンテナバッグの容量を切り換えることが可能となるので、投入量が少ないときにおいてコンテナバッグが邪魔になることを防止できる。また、ハーフサイズにおいてはその側壁部がフル展開させたコンテナバッグの側壁部及び蓋部材を２つ折りにした４重構造或いはフル展開させたコンテナバッグの側壁部を２つ折りにした２重構造に構成されるので、廃材等の投入量が少ない場合でもコンテナバッグを自立させることが可能となる。
【００３６】
ここで、第１のコンテナバッグにおいて、前記第５形態において略長方形に折り畳まれた側壁部及び蓋部材の下側に底壁部の外周部を折り込むと、第５形態から第６形態へコンテナバッグを折り畳んだ状態で、底壁部の外縁が外部に突出することを防止して、コンテナバッグを略長方形や略正方形に綺麗に折り畳むことが可能となる。
【００３７】
【図面の簡単な説明】
【図１】コンテナバッグ展開状態の斜視図
【図２】（ａ）〜（ｉ）はコンテナバッグの折畳方法の説明図
【図３】（ａ）〜（ｇ）は他の構成のコンテナバッグの折畳方法の説明図
【符号の説明】
１      コンテナバッグ      ２      底壁部
３      側壁部              ４      バッグ本体
５      蓋部材              ６      吊紐
７      縛紐                １０    側壁部
１１    方形折畳部
１Ａ    コンテナバッグ      ５Ａ    蓋部材
１Ｂ    コンテナバッグ      ５Ｂ    蓋部材
１Ｃ    コンテナバッグ      ３Ｃ    側壁部
１Ｄ    コンテナバッグ      １０Ｄ  側壁部
１Ｅ    コンテナバッグ      １Ｆ    コンテナバッグ
１Ｇ    コンテナバッグ      １Ｈ    コンテナバッグ
２Ｈ    底壁部
２０    コンテナバッグ      ３Ａ    側壁部
２０Ａ  コンテナバッグ      ３Ｂ    側壁部
２０Ｂ  コンテナバッグ      ３Ｃ    側壁部
２０Ｃ  コンテナバッグ      ２０Ｄ  コンテナバッグ
２１    方形折畳部          ２０Ｅ  コンテナバッグ
２Ｆ    底壁部              ２０Ｆ  コンテナバッグ
【図１】
2004256139.tif 000003
【図２】
2004256139.tif 000004
【図３】
2004256139.tif 000005